(57)【特許請求の範囲】
【請求項１】
弾性的な導電性材料からなる接地部材であって、取付板及び前記取付板の両端から外へ延伸する２つの当接板を備え、各当接板は、前記取付板から延伸し且つ第一方向に向かって突出する弧状の第一当接部と、前記第一当接部の末端から延伸し且つ第一方向と反対の第二方向に向かって突出する弧状の第二当接部と、を備えることを特徴とする接地部材。
【請求項２】
前記取付板は、略矩形を呈し、その両側縁の２つの当接板に近い箇所には、それぞれ一対の切り欠きが設けられ、前記取付板の中央部には、前記取付板の長手方向に沿って前記取付板の両端に向かって延伸する２つのＵ字状のスロットが設けられ、これにより、前記取付板の中央部からそれぞれその両端に向かって延伸する２つの弾性舌片を形成し、各弾性舌片の末端には、突起部が突設されていることを特徴とする請求項１に記載の接地部材。
【請求項３】
ハードディスクを収納ラック内に固定させるための支持フレームにおいて、
ハンドルと、前記ハンドルの両端から延伸し且つ前記ハンドルに対して折り曲げて前記ハードディスクの２つの側壁を収容できる２つのサイドブラケットと、を備える支持枠と、
弾性的な導電性材料からなる２つの接地部材と、
を備えており、
各接地部材は、前記サイドブラケットに固定される取付板及び前記取付板の両端から外へ延伸する２つの当接板を備え、各当接板は、前記取付板から延伸し且つ第一方向に向かって突出する弧状の第一当接部と、前記第一当接部の末端から延伸し且つ第一方向と反対の第二方向に向かって突出する弧状の第二当接部と、を備え、前記支持フレーム及び前記ハードディスクが収納ラック内に収容される場合、各接地部材の第一当接部及び第二当接部は、それぞれ前記収納ラック及び前記ハードディスクに押圧されることを特徴とする支持フレーム。
【請求項４】
前記収納ラックの先端には、開口が形成され、前記開口に近い前記収納ラックの対応する２つの側板の端部には、凸部がそれぞれ形成され、前記ハンドルは、グリップ及び該グリップの両端からそれぞれ延伸し且つ前記サイドブラケットと連接する２つの連接部を備え、各連接部には、係止孔がそれぞれ設けられ、前記ハードディスクを前記収納ラック内に固定させる場合、前記収納ラックの前記凸部が前記ハンドルの前記連接部の前記係止孔に係合されるまで、前記支持フレーム及び前記ハードディスクを前記収納ラック内に挿入させ、前記収納ラックから前記ハードディスクを取り外す場合、前記ハンドルの前記連接部の形状を変形させるように、前記ハンドルを引っ張り、前記収納ラックの前記凸部を前記ハンドルの前記連接部の前記係止孔から離脱させることを特徴とする請求項３に記載の支持フレーム。
【請求項５】
各サイドブラケットは、側壁、上壁及び前記上壁に平行な下壁を備え、各前記側壁には、離間して２つのスロットが設けられ、各接地部材の取付板は、前記側壁の２つのスロットの間に固定され、各接地部材の当接板は、それぞれ２つのスロット内に収容されることを特徴とする請求項４に記載の支持フレーム。
【請求項６】
各当接板は、Ｓ字状を呈し、前記第一当接部は、前記サイドブラケットのスロットを通って前記収納ラックを押圧し、前記第二当接部は、サイドブラケットの側壁の内側に収容され且つ前記ハードディスクを押圧することを特徴とする請求項５に記載の支持フレーム。
【発明の詳細な説明】
【技術分野】
【０００１】
本発明は、接地部材及び該接地部材を有するハードディスク用支持フレームに関するものである。
【背景技術】
【０００２】
コンピュータ等の電子デバイスには、一般的に、ハードディスク等のデータ記憶装置が装備されている。従来のハードディスクは、通常、スクリュー型固定具によって支持フレームに固定され、その後、この支持フレームをコンピュータの収納ラックに着脱可能に装着する。しかしながら、上記の過程において、スクリュードライバ等の工具を使用する必要があるため、ハードディスクの組み立て及び分解において非常に手間がかかり、且つ労力を要する。また、このような方式は、ハードディスクの接地問題を効果的に解決することもできない。
【発明の概要】
【発明が解決しようとする課題】
【０００３】
前記課題を解決するために、本発明は、ハードディスクを効果的に接地し且つハードディスクの組み立て及び分解を容易に行うための接地部材及び該接地部材を有するハードディスク用支持フレームを提供する。
【課題を解決するための手段】
【０００４】
本発明に係る接地部材は、弾性的な導電性材料からなり、取付板及び取付板の両端から外へ延伸する２つの当接板を備える。各当接板は、取付板から延伸し且つ第一方向に向かって突出する弧状の第一当接部と、第一当接部の末端から延伸し且つ第一方向と反対の第二方向に向かって突出する弧状の第二当接部と、を備える。
【０００５】
本発明に係るハードディスク用支持フレームは、ハードディスクを収納ラック内に固定させるために用いられ、ハンドルと、ハンドルの両端から延伸し且つハンドルに対して折り曲げてハードディスクの２つの側壁を収容できる２つのサイドブラケットと、を備える支持枠と、弾性的な導電性材料からなる２つの接地部材と、を備える。各接地部材は、サイドブラケットに固定される取付板及び取付板の両端から外へ延伸する２つの当接板を備える。各当接板は、取付板から延伸し且つ第一方向に向かって突出する弧状の第一当接部と、第一当接部の末端から延伸し且つ第一方向と反対の第二方向に向かって突出する弧状の第二当接部と、を備える。支持フレーム及びハードディスクが収納ラック内に収容される場合、各接地部材の第一当接部及び第二当接部は、それぞれ収納ラック及びハードディスクに押圧される。
【発明の効果】
【０００６】
従来の技術と比べて、本発明のハードディスク用支持フレームは、ハンドル及びハンドルの両端に弾性的に連接される２つのサイドブラケットを備え、ハンドルに対して２つのサイドブラケットを折り曲げることにより、この２つのサイドブラケットをハードディスクの両側壁にそれぞれ嵌合させることができる。これにより、ハードディスクの組み立て及び分解の過程において、ネジ等の部品を使用する必要がないため、組み立て及び分解が非常に容易且つ便利である。また、各接地部材の当接板は、それぞれ収納ラック及びハードディスクに押圧されるので、ハードディスクを効果的に接地することができる。
【図面の簡単な説明】
【０００７】
【図１】本発明の実施形態に係る、ハードディスク、支持フレーム、及び収納ラックの組立図である。
【図２】図１に示したハードディスク及び支持フレームの分解図である。
【図３】図２に示した支持フレームの分解図である。
【図４】図３に示した支持フレームの接地部材の拡大図である。
【図５】図１に示したハードディスク及び支持フレームを別の視点から見た分解図である。
【図６】図２に示したハードディスク及び支持フレームの組立図である。
【図７】図１に示したハードディスク及び支持フレームと収納ラックとの分解図である。
【発明を実施するための形態】
【０００８】
以下、図面を参照して、本発明の実施形態について説明する。
【０００９】
図１を参照すると、本発明の実施形態に係る支持フレーム１００は、ハードディスク３００を収納ラック５００に装着するために用いられる。
【００１０】
図２及び図３を参照すると、ハードディスク３００における互いに反対側の２つの側壁には、２つの固定孔３０１がそれぞれ設けられている。
【００１１】
本実施形態において、支持フレーム１００は、支持枠２０及び２つの接地部材５０を備える。
【００１２】
支持枠２０は、プラスチック又はナイロン等の弾性材料からなり、ハンドル２２と、ハンドル２２の両端からハンドル２２の長手方向に沿ってそれぞれ延伸する２つのサイドブラケット２５と、を備える。各サイドブラケット２５は、側壁２５２と、側壁２５２の上縁から該側壁２５２に対して垂直に延伸する上壁２５３と、側壁２５２の下縁から上壁２５３と同じ方向に、且つ垂直に延伸する下壁２５４と、側壁２５２の両端から垂直に延伸し、且つ上壁２５３及び下壁２５４の端部とそれぞれ連接する２つの端壁２５５と、を備える。上壁２５３と下壁２５４との間の距離は、ハードディスク３００の厚さより僅かに小さい。各側壁２５２の両端には、２つのスロット２５２１が設けられる。各側壁２５２の内側の中央部の２つのスロット２５２１に近い箇所には、側壁２５２に対して平行な二対の係止片２５２３が形成される。係止片２５２３と側壁２５２とは、収容部２５２５を形成する。各側壁２５２の内側の中央部には、係止片２５２３の間に位置される２つの位置決め孔２５２６が設けられる。各側壁２５２の内側の両端には、２つの位置決めピン２５２７が設けられている。各サイドブラケット２５の２つの端壁２５５の間の距離は、ハードディスク３００の長さより僅かに小さい。ハンドル２２は、弧状のグリップ２２１と、該グリップ２２１の両端からそれぞれ延伸する２つの弧状の連接部２２２と、を備える。グリップ２２１の両端の内側面には、連接部２２２にそれぞれ隣接する複数の当接ブロック２２３が形成されている。各連接部２２２には、さらに係止孔２２５がそれぞれ設けられている。
【００１３】
図４を参照すると、各接地部材５０は、弾性的な導電性材料からなる。接地部材５０は、略矩形の取付板５２及び取付板５２の両端から延伸するＳ字状の当接板５３を備える。取付板５２の両側縁の２つの当接板５３に近い箇所には、それぞれ一対の切り欠き５２２が設けられる。取付板５２の中央部には、取付板５２の長手方向に沿って取付板５２の両端に向かって延伸する２つのＵ字状のスロット５２３が設けられる。これにより、取付板５２の中央部からそれぞれ両端に向かって延伸する２つの弾性舌片５２５を形成する。各弾性舌片５２５の末端には、半球状の突起部５２６が突設されている。各当接板５３は、取付板５２から延伸し且つ第一方向（外側）に向かって突出する弧状の第一当接部５３１と、第一当接部５３１の末端から延伸し且つ第一方向と反対の第二方向（内側）に向かって突出する弧状の第二当接部５３３と、を備える。
【００１４】
図７を参照すると、収納ラック５００は、底板５０１と、底板５０１の長手方向の両側から上方へ垂直に延伸する２つの側板５０２と、２つの側板５０２の頂部から互いに向かってそれぞれ延伸する２つの頂板５０３と、を備える。収納ラック５００の先端には、開口５１０が形成されている。開口５１０に近い各側板５０２の端部には、他方の側板５０２から離れる方向へ斜めに、且つ外部に向かって延伸する係止部５０２１が形成されている。各係止部５０２１の内側面には、凸部５０２２がそれぞれ形成されている。
【００１５】
図２、図３及び図５を参照すると、支持フレーム１００を組み立てる場合、まず、２つの接地部材５０をそれぞれ２つのサイドブラケット２５の収容部２５２５内に収容させ、これにより、各接地部材５０の突起部５２６は、対応する側壁２５２の内側に当接され、サイドブラケット２５の係止片２５２３は、接地部材５０の対応する切り欠き５２２を通して接地部材５０の内側に位置され、接地部材５０の第一当接部５３１は、サイドブラケット２５のスロット２５２１内に収容される。次に、ハンドル２２から離れる方向に向かって各接地部材５０を摺動させ、これにより、突起部５２６が側壁２５２の対応する位置決め孔２５２６に位置合わせするまで、弾性舌片５２５が変形して側壁２５２の内表面に摺動可能に当接され、その後、弾性舌片５２５の突起部５２６は、弾性舌片５２５の弾性復帰によって対応する位置決め孔２５２６内に嵌入される。この際、取付板５２は、側壁２５２と対応する係止片２５２３との間に挟まれ、第一当接部５３１は、スロット２５２１を通って延伸し且つ側壁２５２から露出され、第二当接部５３３は、側壁２５２の内側に収容される。
【００１６】
図１〜図３及び図４〜図７を参照すると、ハードディスク３００を組み立てる場合、まず、支持枠２０をＵ字形になるように折り曲げ、支持枠２０の２つのサイドブラケット２５をハンドル２２に対して内側へ回転させ、且つハードディスク３００の２つの側壁にそれぞれ取り付ける。この時、ハードディスク３００の２つの側壁は、支持枠２０の２つのサイドブラケット２５内にそれぞれ嵌め込まれ、各サイドブラケット２５の位置決めピン２５２７は、ハードディスク３００の対応する固定孔３０１に係合される。サイドブラケット２５の上壁２５３と下壁２５４との間の距離がハードディスク３００の厚さより僅かに小さく、また、サイドブラケット２５の２つの端壁２５５の間の距離がハードディスク３００の長さより僅かに小さいため、サイドブラケット２５は、その変形によってハードディスク３００を強固に保持することができる。また、この時、ハンドル２２の２つの連接部２２２は折り曲げられるため、ハンドル２２の当接ブロック２２３は、ハードディスク３００の前端に当接される。ハンドル２２のグリップ２２１と各サイドブラケット２５の側壁２５２との間の夾角は、９０度より大きい。各接地部材５０の第二当接部５３３は、ハードディスク３００の側壁に緊密に接触される。次に、収納ラック５００の凸部５０２２がハンドル２２の連接部２２２の係止孔２２５に係合されるまで、ハンドル２２のグリップ２２１を操作することによって、ハードディスク３００及び支持フレーム１００は、収納ラック５００の開口５１０を介して収納ラック５００内に挿入される。これにより、ハードディスク３００は、収納ラック５００に固定される。この時、各接地部材５０の第一当接部５３１が収納ラック５００の対応する側板５０２の内表面に押圧されるため、ハードディスク３００に対する衝撃を緩和することができ、且つ、ハードディスク３００の接地を容易にする。
【００１７】
収納ラック５００からハードディスク３００を取り外す場合、まず、ハンドル２２のグリップ２２１を引っ張って、ハンドル２２の形状を変形させる。この時、ハンドル２２の２つの連接部２２２は、内側に向かって収縮し、それによって、収納ラック５００の凸部５０２２は、連接部２２２の係止孔２２５から離脱する。これにより、ハードディスク３００と支持フレーム１００とは、共に収納ラック５００の開口５１０を介して収納ラック５００から引き出すことができる。次に、サイドブラケット２５の位置決めピン２５２７とハードディスク３００の２つの側壁の固定孔３０１との係合を解除する。これにより、ハードディスク３００を支持フレーム１００から取り出すことができる。
【符号の説明】
【００１８】
１００  支持フレーム
３００  ハードディスク
３０１  固定孔
２０  支持枠
２２  ハンドル
２５  サイドブラケット
２５２  側壁
２５３  上壁
２５４  下壁
２５５  端壁
２５２１  スロット
２５２３  係止片
２５２５  収容部
２５２６  位置決め孔
２５２７  位置決めピン
２２１  グリップ
２２２  連接部
２２３  当接ブロック
２２５  係止孔
５０  接地部材
５２  取付板
５３  当接板
５２２  切り欠き
５２３  スロット
５２５  弾性舌片
５２６  突起部
５３１  第一当接部
５３３  第二当接部
５００  収納ラック
５０１  底板
５０２  側板
５０３  頂板
５１０  開口
５０２１  係止部
５０２２  凸部
【図１】
0005968388.tif 000002
【図２】
0005968388.tif 000003
【図３】
0005968388.tif 000004
【図４】
0005968388.tif 000005
【図５】
0005968388.tif 000006
【図６】
0005968388.tif 000007
【図７】
0005968388.tif 000008